(57)【要約】      （修正有）【課題】利便性を向上した車載システムを提供する。【解決手段】車載システム１は、車室内部に設けられた収容スペースと、各々が収容スペースに対して選択的に取り付け可能であり、各々が異なる車両用機能を発揮可能である複数の交換要素１５Ａ〜から成る選択ユニット１５と、を備え、該選択ユニット１５の中から任意に選択された１つの交換要素が収容スペースに取り付けられた状態で利用される車載システムであって、車載システム１は、収容スペースに取り付けられた交換要素の種別に対応する情報を表示するマルチディスプレイ１７を備えている。【選択図】図１
2014151709.tif 000002
【特許請求の範囲】
【請求項１】
車室内部に設けられた取付部と、
各々が前記取付部に対して選択的に取り付け可能であり、各々が異なる車両用機能を発揮可能である複数の交換要素から成る選択ユニットと、
を備え、該選択ユニットの中から任意に選択された１つの交換要素が前記取付部に取り付けられた状態で利用される車載システムであって、
前記取付部に取り付けられた交換要素の種別に対応する情報を表示する表示部を備えたことを特徴とする車載システム。
【請求項２】
各種入力を受け付ける入力部を更に備え、
前記表示部は、前記取付部に取り付けられた交換要素の前記車両用機能に関する操作画面を表示し、
該操作画面に対応する操作入力を前記入力部が受け付けた場合には、該操作入力に従って、前記取付部に取り付けられた交換要素が前記車両用機能を発揮する、
ことを特徴とする請求項１に記載の車載システム。
【発明の詳細な説明】
【技術分野】
【０００１】
本発明は、車両に搭載されて利用される車載システムに関する。
【背景技術】
【０００２】
従来、使用者（乗員）の快適性の向上を目的として車両に取り付られて用いられる車両用設備に関しては、取付部の構造上、車両の購入時に使用者が選択可能な装備品（交換要素）の種類が限られていた。このため、使用者が、車両の取得後に後付けの汎用の装備品を別途購入して取付部に取り付ける等の対応が為されていた。
【０００３】
本発明の関連技術として、例えば、特許文献１には、シートからヘッドレストのステーを取り外すことなく、当該ステーに後付用の製品を脱着できる取付ベースが開示されている。
【先行技術文献】
【特許文献】
【０００４】
【特許文献１】特開２００５−６７５６３号公報
【発明の概要】
【発明が解決しようとする課題】
【０００５】
しかしながら、車両の取得後に別途購入する汎用の装備品では、取り付け後に車両内の各システムと連携することが困難であり、利便性が充分ではない虞があった。
【０００６】
本発明は、上述した事情に鑑みて為されたものであり、利便性を向上した車載システムを提供することを目的としている。
【課題を解決するための手段】
【０００７】
前述した目的を達成するために、本発明に係る車載システムは、下記の点を特徴としている。
（１）  車室内部に設けられた取付部と、
各々が前記取付部に対して選択的に取り付け可能であり、各々が異なる車両用機能を発揮可能である複数の交換要素から成る選択ユニットと、
を備え、該選択ユニットの中から任意に選択された１つの交換要素が前記取付部に取り付けられた状態で利用される車載システムであって、
前記取付部に取り付けられた交換要素の種別に対応する情報を表示する表示部を備えたこと。
（２）  上記（１）の構成の車載システムであって、
各種入力を受け付ける入力部を更に備え、
前記表示部は、前記取付部に取り付けられた交換要素の前記車両用機能に関する操作画面を表示し、
該操作画面に対応する操作入力を前記入力部が受け付けた場合には、該操作入力に従って、前記取付部に取り付けられた交換要素が前記車両用機能を発揮する、
こと。
【０００８】
上記（１）の構成の車載システムでは、複数の交換要素から成る選択ユニットの中から選択されて取付部に取り付けられた１つの交換要素に対応する情報が、表示部に表示される。即ち、現在車両用機能を発揮中である交換要素に対応する情報が、使用者が視認する表示部に表示される。このため、使用者は、当該表示部を視認することにより、現在利用中の交換要素に関する情報を取得することができる。これにより、車載システムの利便性が向上される。また、上記（１）の構成の車載システムによれば、車両購入後に別途購入する後付け用の設備品であっても容易に表示部との連携を実現することができ、利便性を向上できる。また、使用者が選択できる交換要素の種類を増加させることができるため、車両の使用者に車両の使い方や嗜好に応じて設備品を選択させることができ、車両の商品的魅力を向上できる。
上記（２）の構成の車載システムでは、取付部に取り付けられた取付設備の車両用機能に関する操作画面が表示部に表示される。そして、当該操作画面に対応付けられた操作が為されると、当該操作に従って、取付部に取り付けられた交換要素が車両用機能を発揮する。したがって、使用者は、表示部を視認することにより、操作部が車両用機能に関する操作を受け付け中であることを認識できる。また、入力部を用いて使用中の車両用機能のオンオフを決定したり、設定を変更したりできる。また、上記（２）の構成の車載システムによれば、車両購入後に別途購入する後付け用の設備品であっても容易に表示部及び入力部との連携を実現することができる。
【発明の効果】
【０００９】
本発明によれば、利便性を向上した車載システムを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、実施形態における車載システム１の構成を示す図である。
【図２】図２（Ａ）及び図２（Ｂ）は、車載システム１が配置された車室内部を示す図である。
【図３】図３（Ａ）〜図３（Ｅ）は、選択ユニット１５を構成する各種の交換要素を示す図である。
【図４】図４は、ステアリングスイッチ１６の外観を示す図である。
【図５】図５は、交換要素の装着時の動作手順を示すフローチャートである。
【図６】図６（Ａ）〜図６（Ｅ）は、各交換要素に対応する設定画面を示す図である。
【発明を実施するための形態】
【００１２】
以下、実施形態に係る車載システム１について図面を用いて説明する。図１は、実施形態における車載システム１の構成を示す図である。図１に示すように、車載システム１は、車両に搭載された各種アクチュエータ、センサ、スイッチ等の各種の車両用装備（後述する選択ユニット１５を含む。）を接続して、その機能を実行させるものであり、スマートジャンクションボックス（以下、スマートＪＢと称する。）１１、入出力代行コネクタ１２、１３、１４及び選択ユニット１５を有する。選択ユニット１５は、図３を参照して後述するように、複数の交換要素により構成され（本実施形態では、５つの交換要素１５Ａ〜１５Ｅ。）、該交換要素の各々が車室内部に設けられた取付部（後述する収容スペース２５ａ。）に対して選択的に取り付け可能であり、各々が異なる車両用機能（例えば、飲料容器保持機能や灰皿機能。）を発揮可能なユニットである。車載システム１は、これら選択ユニット１５から任意に選択された１つの交換要素が収容スペース２５ａに取り付けられた状態で利用される。
【００１３】
また、車載システム１は、インストルメントパネル５に設置されたメータユニットであるパネルメータ８内のマルチディスプレイ１７、及び車両を操舵するハンドル９に設けられたステアリングスイッチ１６を更に有する。マルチディスプレイ１７は表示ツールとして使用され、ステアリングスイッチ１６はユーザ意思入力ツールとして使用される。
【００１４】
図２（Ａ）及び図２（Ｂ）は、車載システム１が配置された車室内部を示す図である。図２（Ａ）に示すように、マルチディスプレイ１７、ステアリングスイッチ１６及び選択ユニット１５は、車室内の使用者（乗員）から視認可能な位置に配置されている。一方、スマートＪＢ１１や入出力代行コネクタ１２、１３、１４は使用者から視認されない車両の内部に配置されている。
【００１５】
また、図２（Ｂ）に示すように、運転席の側方に位置し、運転席と助手席を隔てる、センターコンソール２５には、収容スペース２５ａ（取付部）が形成されており、この収容スペース２５ａに選択ユニット１５の中から選択された交換要素が装着される。図２（Ａ）及び図２（Ｂ）中には、符号１５により収容スペース２５ａに装着された交換要素を示している。
【００１６】
スマートＪＢ１１は、インストルメントパネル５の内部や車両の底部等に設置されており、ワイヤハーネス３を介して各エリアの入出力代行コネクタ１２、１３、１４と接続されている。
【００１７】
スマートＪＢ１１（制御部）は、マイコン等を搭載しており、入出力代行コネクタ１２、１３、１４に接続された各種の車両用装備の機能を実行させる。また、スマートＪＢ１１は、入出力代行コネクタ１４に接続される、現在使用中の交換要素を特定するための識別符号が登録されたメモリを有している。
【００１８】
入出力代行コネクタ１２、１３、１４は、各種アクチュエータ、センサ、スイッチ等の車両用装備が接続されるものであり、接続された各種の車両用装備をスマートＪＢ１１に接続する。
【００１９】
入出力代行コネクタ１２はインストルメントパネル５の内部に設けられており、入出力代行コネクタ１２には、パネルメータ８が接続されている。入出力代行コネクタ１３はハンドル９のパッド内部に設けられており、入出力代行コネクタ１３には、ステアリングスイッチ１６が接続されている。入出力代行コネクタ１４はセンターコンソール２５の内部に設けられており、入出力代行コネクタ１４には、収容スペース２５ａに装着された交換要素が接続される。
【００２０】
マルチディスプレイ１７（表示部）は、パネルメータ８の中央に配置されており、文字、図形、画像などの様々な可視情報を表示可能な画面を有する表示デバイス（図６参照。）である。
【００２１】
ステアリングスイッチ１６（入力部）は、前述したように、ハンドル９に設けられており、運転者によって操作可能な各種のボタンを有し、ユーザの意思を入力するツールである。
【００２２】
選択ユニット１５は、各々が異なる車両用機能を発揮可能である複数種類の交換要素１５Ａ〜１５Ｅにより構成されている（図３参照。）。交換要素１５Ａ〜１５Ｅは、各々が、入出力代行コネクタ１４と挿抜自在に接続されるコネクタ１５ａ（接続部）を有し、運転席のセンターコンソール２５に交換自在に装着される。各交換要素は、各々を特定するための識別符号が記憶されたメモリを有する。各交換要素は、センターコンソール２５に形成された収容スペース２５ａに装着されると同時にコネクタ１５ａが入出力代行コネクタ１４に接続され、スマートＪＢ１１に接続されて認識される。
【００２３】
図３（Ａ）〜図３（Ｅ）は、交換要素１５Ａ〜１５Ｅを示す図である。図３（Ａ）に示すように、標準の交換要素であるドリンクホルダ１５Ａが用意されている。ドリンクホルダ１５Ａは、車両用機能として、飲料容器を保持する飲料容器保持機能と、その一部を点灯させるイルミネーション機能を有している。また、図３（Ｂ）に示すように、交換要素として、冷暖房の程度を調整する温度調整機能付きのドリンクホルダ１５Ｂが用意されている。ドリンクホルダ１５Ｂは、車両用機能として、飲料容器保持機能と温度調整機能を有している。また、図３（Ｃ）に示すように、交換要素として、脱臭機能付きの灰皿１５Ｃが用意されている。灰皿１５Ｃは、車両用機能として、灰皿機能と脱臭機能を有している。また、図３（Ｄ）に示すように、交換要素として、イオンを発生させて空気を浄化する空気浄化機能を有する消臭機１５Ｄが用意されている。また、図３（Ｅ）に示すように、交換要素として、スマートフォン３１の充電機能及び通信機能を有するクレイドル１５Ｅが用意されている。使用者は、これらの交換要素１５Ａ〜１５Ｅの中から任意の１つを選択して利用可能である。
【００２４】
図４は、ステアリングスイッチ１６の外観を示す図である。ステアリングスイッチ１６は、ハンドル９の両側に設けられた一対のステアリングスイッチ１６Ａ、１６Ｂからなる。ステアリングスイッチ１６Ａは、カーソルを上下左右に移動させる矢印ボタン１８Ａ及び選択や許可等を指示するための決定ボタン１８Ｂを有する。一方、ステアリングスイッチ１６Ｂは、設定ボタン１８Ｃ及びキャンセルボタン１８Ｄを有する。
【００２５】
上記構成を有する車載システム１において、現在装着されている交換要素に代えて新たな交換要素を装着した際の動作について説明する。図５は、交換要素の装着時の動作手順を示すフローチャートである。使用者は、図３に示した選択ユニット１５の中から、所望の交換要素を選択し、センターコンソール２５に形成された収容スペース２５ａに装着する。
【００２６】
まず、スマートＪＢ１１は、収容スペース２５ａに新たな交換要素が装着され、入出力代行コネクタ１４に当該新たな交換要素が接続されたか否かを判別する（ステップＳ１）。新たな交換要素が接続されていないと判定した場合、スマートＪＢ１１はそのまま本動作を終了する。
【００２７】
一方、入出力代行コネクタ１４に新たな交換要素が接続されたと判定した場合、スマートＪＢ１１は、接続された新たな交換要素のメモリに記憶された識別符号を読み出し、自身のメモリに登録された識別符号の一覧と照合し、この交換要素を特定する（ステップＳ２）。スマートＪＢ１１は、特定された交換要素の種別に対応する設定画面（図６参照。）をマルチディスプレイ１７に表示する（ステップＳ３）。このように、車載システム１では、マルチディスプレイ１７には、収容スペース２５ａに取り付けられた交換要素の種別に対応する情報が表示される。
【００２８】
使用者（購入者、運転者を含む。）は、ステアリングスイッチ１６を操作し、マルチディスプレイ１７に表示された設定画面（操作画面）を見ながら、交換要素が有する車両用機能に関する各種の設定項目を設定する。スマートＪＢ１１は、当該設定項目が設定されるまで待機する（ステップＳ４）。
【００２９】
設定項目が設定されると（即ち、設定画面に対応する操作入力をステアリングスイッチ１６が受け付けると。）、スマートＪＢ１１は、接続されている交換要素に対し、設定された各設定項目の内容に従って当該交換要素の車両用機能を実行させる（ステップＳ５）。この後、スマートＪＢ１１は本動作を終了する。
【００３０】
以上説明したように、図５に示す動作により、収容スペース２５ａに取り付けられた交換要素の車両用機能に関する設定画面がマルチディスプレイ１７に表示され（ステップＳ３）、当該設定画面に対応する操作入力をステアリングスイッチ１６が受け付けた場合には、当該操作入力に従って、収容スペース２５ａに取り付けられた交換要素がその車両用機能を発揮する。
【００３１】
図６は、各交換要素に対応する設定画面を示す図である。当該設定画面は、各交換要素の車両用機能のオンオフの変更や設定値の調整のための画面であり、前述したように、マルチディスプレイ１７に表示される。図６（Ａ）に示すように、標準装備の交換要素１５Ａの設定画面では、イルミネーション機能のオン／オフの設定が可能である。
【００３２】
図６（Ｂ）に示すように、温度調整機能付きのドリンクホルダ１５Ｂの設定画面では、温度調整機能のオン／オフや設定温度の調整が可能である。ここでは、暖房の設定温度が４５℃に設定されている。図６（Ｃ）に示すように、脱臭機能付きの灰皿１５Ｃの設定画面では、脱臭機能のオン／オフの設定が可能である。
【００３３】
図６（Ｄ）に示すように、消臭機１５Ｄの設定画面では、消臭機能のオン／オフの設定が可能である。図６（Ｅ）に示すように、スマートフォン３１が載置されたクレイドル１５Ｅの設定画面では、充電機能のオン／オフの設定、通信機能のオン／オフの設定が可能である。充電機能がオンである場合、スマートフォン３１は入出力代行コネクタ１４を介して供給される電力で充電される。
【００３４】
以下では、本実施形態に係る車載システム１の作用及び効果について説明する。
【００３５】
本実施形態の車載システム１は、車室内部に設けられた収容スペース２５ａ（取付部）と、各々が収容スペース２５ａに対して選択的に取り付け可能であり、各々が異なる車両用機能を発揮可能である複数の交換要素１５Ａ〜１５Ｅから成る選択ユニット１５と、を備え、該選択ユニット１５の中から任意に選択された１つの交換要素が収容スペース２５ａに取り付けられた状態で利用される車載システムである。そして、車載システム１は、収容スペース２５ａに取り付けられた交換要素の種別に対応する情報を表示するマルチディスプレイ１７（表示部）を備えている。
このように、車載システム１では、現在車両用機能を発揮中である交換要素に対応する情報が、使用者が視認可能なマルチディスプレイ１７に表示されるため、使用者は、マルチディスプレイ１７を視認することにより、現在利用中の交換要素に関する情報を取得することができる。これにより、車載システムの利便性が向上されている。また、車載システム１によれば、車両購入後に別途購入する後付け用の設備品であっても容易にマルチディスプレイ１７との連携を実現することができ、利便性を向上できる。
【００３６】
また、本実施形態の車載システム１は、各種入力を受け付けるステアリングスイッチ１６（入力部）を更に備えている。そして、マルチディスプレイ１７は、収容スペース２５ａに取り付けられた交換要素の車両用機能に関する設定画面（操作画面）を表示し、該設定画面に対応する操作入力をステアリングスイッチ１６が受け付けた場合には、該操作入力に従って、収容スペース２５ａに取り付けられた交換要素が車両用機能を発揮する。
このように、車載システム１では、収容スペース２５ａに取り付けられた取付設備の車両用機能に関する設定画面がマルチディスプレイ１７に表示され、当該設定画面に対応付けられた操作が為されると、当該操作に従って、収容スペース２５ａに取り付けられた交換要素が車両用機能を発揮する。したがって、使用者は、マルチディスプレイ１７を視認することにより、ステアリングスイッチ１６が車両用機能に関する操作を受け付け中であることを認識できる。また、ステアリングスイッチ１６を用いて使用中の車両用機能のオンオフを決定したり、設定を変更したりできる。また、車両購入後に別途購入する後付け用の設備品であっても、容易にマルチディスプレイ１７及びステアリングスイッチ１６との連携を実現することができる。
【００３７】
尚、本発明の技術的範囲は、上述した実施形態に限定されるものではない。上述した実施形態は、本発明の技術的範囲内で種々の変形や改良等を伴うことができる。
【００３８】
例えば、上記実施形態では、選択ユニット１５がセンターコンソール２５に形成された収容スペース２５ａに装着されると同時にコネクタ１５ａが入出力代行コネクタ１４に接続される場合を示したが、同時でなくとも構わない。即ち、選択ユニット１５が収容スペース２５ａに装着される前後で、選択ユニット１５の一部であるコネクタ１５ａを入出力代行コネクタ１４に接続するようにしてもよい。
【００３９】
また、上記実施形態では、識別符号の一致により選択ユニットを特定していたが、その他の方法で特定してもよい。その他の方法の一例として、選択ユニット１５毎に入出力代行コネクタ１４に接続されるコネクタ１５ａのピンが異なるように配置し、スマートＪＢ１１が、このコネクタ１５ａのピン配置を判別することにより選択ユニット１５の種類を特定するようにしてもよい。
【００４０】
また、上記実施形態では、設定画面は、新たな交換要素の接続が検出された時に表示される構成としたが、使用者がステアリングスイッチ１６を操作することにより任意のタイミングで表示されるようにしても構わない。
【００４１】
また、上記実施形態で示した選択ユニット１５は一例であり、その他、ＴＶ、ロック付きキャッシュケース、小物入れ、筆記具入れ等を選択ユニットとしてもよい。
【００４２】
また、上記実施形態では、車載用装備の一例である交換要素として、センターコンソールの収容スペースに交換自在に装着される選択ユニットを示したが、ヘッドレストやダッシュボード等に交換自在に装着される選択ユニットであってもよい。また、ヘッドレストに装着される選択ユニットとしては、例えばマッサージ機やヘッドホン等が挙げられる。ダッシュボードに交換自在に装着される選択ユニットとしては、ＴＶやオーディオ機器が挙げられる。
【００４３】
また、上記実施形態では、運転者の意思を入力する入力デバイスとして、ステアリングスイッチ１６を用いた場合を示したが、パネルメータ内のマルチディスプレイ１７がタッチパネルで構成される場合には、このタッチパネルを入力デバイスとして用いてもよい。これにより、使用者は画面を見ながら画面にタッチすることで入力が可能となる。
【００４４】
また、上記実施形態では、メータユニットであるパネルメータ８内のマルチディスプレイ１７を表示ツールとして用いた場合を示したが、ナビゲーション装置に搭載されたディスプレイを表示ツールとして用いても構わない。
【符号の説明】
【００４５】
１  車載システム
３  ワイヤハーネス
５  インストルメントパネル
８  パネルメータ
９  ハンドル
１１  スマートジャンクションボックス（ＪＢ）
１２、１３、１４  入出力代行ボックス
１５  選択ユニット
１５ａ  コネクタ
１５Ａ〜１５Ｅ  交換要素
１６、１６Ａ、１６Ｂ  ステアリングスイッチ（入力部）
１７  マルチディスプレイ（表示部）
１８Ａ  矢印ボタン
１８Ｂ  決定ボタン
１８Ｃ  設定ボタン
１８Ｄ  キャンセルボタン
２５  センターコンソール
２５ａ  収容スペース（取付部）
３１  スマートフォン
【図１】
2014151709.tif 000003
【図２】
2014151709.tif 000004
【図３】
2014151709.tif 000005
【図４】
2014151709.tif 000006
【図５】
2014151709.tif 000007
【図６】
2014151709.tif 000008